(57)【特許請求の範囲】
【請求項１】
手又は指に装着する装身具本体と、前記装身具本体に取り付けられ、へアピンを挿入する挿入口を有する突起部と、を備えることを特徴とする装身具。
【請求項２】
請求項１に記載の装身具であって、前記突起部がコの字型又はアーチ型に形成され、その両端が前記装身具本体に固定されることを特徴とする装身具。
【請求項３】
請求項１に記載の装身具であって、前記突起部が４本の腕を持つ十字型に形成され、その４本の腕が前記装身具本体に固定されることを特徴とする装身具。
【請求項４】
請求項３に記載の装身具であって、前記十字型の４本の腕のうち、少なくとも１本の腕は、十字型の交差部分から位置が変更していることを特徴とする装身具。
【請求項５】
請求項１〜４のいずれかに記載の装身具であって、前記突起部が、ヘアピンのピン先を固定するストッパーを備えることを特徴とする装身具。
【請求項６】
請求項１〜５のいずれかに記載の装身具は、磁石を備えることを特徴とする装身具。
【請求項７】
請求項１〜６のいずれかに記載の装身具の前記突起部に、ヘアピンのピン先が嵌る穴が設けられることを特徴とする装身具。
【請求項８】
請求項１〜７のいずれかに記載の装身具の前記突起部を含む部分を、前記装身具本体から取り外し又は可倒することができることを特徴とする装身具。
【請求項９】
請求項１〜８のいずれかに記載の装身具は、指輪であることを特徴とする装身具。
【請求項１０】
請求項１〜９のいずれかに記載の装身具を用いて、ヘアピンを開閉又は折り曲げてヘアセットすることを特徴とするヘアセット方法。
【発明の詳細な説明】
【技術分野】
【０００１】
本発明は、ヘアピンの折り曲げや開閉が簡単にできる装身具及び該装身具を用いたヘアセットの方法に関する。
【背景技術】
【０００２】
近年、美容院では成人式や七五三、パーティーなどへ行くお客様用のヘアスタイルとして、髪を結いあげる技術（アップヘア又はセットヘア）が多く使用されている。アップヘアの際、施術中に束ねた髪を留めたり、固定するために必要な専門のピンとして、Ｕ字型ピン（オニピン、ネジピン、ケピン）と、密着開閉型ピン（アメリカピン、スモールピン）がある。上記、５種類のピンは使用条件が異なり、長さや太さ、硬さや留め方などが異なる。
【０００３】
Ｕ字型ピンは通常、ピンを髪に差して落ちないようにするため、両先端又は片方の先端部を約１ｃｍ〜２ｃｍ程、１５０度から１８０度の範囲内で折り曲げて使用する。Ｕ字型ピンのうちオニピンとネジピンは非常に硬く簡単には曲げられないが、ケピンは比較的、柔らかく、簡単に片手の指先でも曲げることができる。ケピン以外のＵ字型ピンを折り曲げて使用する場合、施術中は右手でピンを持ち、左手で髪を抑えるため、Ｕ字型ピンの先端部を片手で折り曲げるか、予め施術前に折り曲げて準備しておく必要がある。
【０００４】
密着開閉型ピンは、両先端を開いて髪に潜り込ませるように使用する。施術中に右手でピンを持ち、髪を抑えている左手の空いている指先で両先端を開いて使用する。
非特許文献１には、片手に装着でき、ピンを固定するマグネットピンホルダーが記載されている。
【先行技術文献】
【非特許文献】
【０００５】
【非特許文献１】「株式会社ベル・ネット、サロン専用カタログ「コアラ」Vol.３９、Ｅ３１−０４、２０１３」
【発明の概要】
【発明が解決しようとする課題】
【０００６】
髪をセットする際、通常、一人の髪をセットするのに、１５〜２０本程のヘアピンを使用する。Ｕ字型ピンの場合、予め先端部を折り曲げて準備しておくことが考えられるが、ピンが多数の場合には絡まることがあり、取りづらい。また、施術後に余った折り曲げたピンを曲げ戻すと、ピンの強度が弱まり折れてしまうことがある。そのため、施術中に簡単にピンの先を折り曲げたり、開いたりする作業をすることが望ましいが、その作業を繰り返すことで、指先を痛めることが多くある。
【０００７】
また、密着開閉型ピンの場合、施術中に右手でピンを持ち、髪を抑えている左手の空いている指先でピンの両先端を開くが爪にひっかかることなどがあり、指先を痛めることが多くある。
【０００８】
そこで、施術中に簡単にピンの先を折り曲げたり、開いたりする作業が片手で容易にできる道具が長年、望まれてきた。非特許文献１のピンホルダーは、片手に装着して髪を抑えながらも、もう一方の片手を使って、手元でピンを取りだせるという利点があるが、片手でヘアピンを折り曲げたり、開いたりすることは難しい。
本発明の目的は、上記問題点に鑑み、片手でヘアピンの折り曲げや開閉が簡単にできる装身具を提供することである。
【課題を解決するための手段】
【０００９】
（１）請求項１に記載の発明は、手又は指に装着する装身具本体と、前記装身具本体に取り付けられ、へアピンを挿入するための挿入口を有する突起部と、を備えることを特徴とする装身具である。
（２）請求項２に記載の発明は、請求項１に記載の装身具において、前記突起部がコの字型又はアーチ型に形成され、その両端が前記装身具本体に固定されることを特徴とする。
（３）請求項３に記載の発明は、請求項１に記載の装身具において、前記突起部が４本の腕を持つ十字型に形成され、その４本の腕が前記装身具本体に固定されることを特徴とする。
（４）請求項４に記載の発明は、請求項３に記載の装身具において、前記十字型の４本の腕のうち、少なくとも１本の腕は、十字型の交差部分から位置が変更していることを特徴とする。
（５）請求項５に記載の発明は、請求項１〜４のいずれか１項に記載の装身具において、前記突起部が、ヘアピンのピン先を固定するストッパーを備えることを特徴とする。
（６）請求項６に記載の発明は、請求項１〜５のいずれか１項に記載の装身具において、磁石を備えることを特徴とする。
（７）請求項７に記載の発明は、請求項１〜６のいずれか１項に記載の装身具において、前記突起部に、ヘアピンのピン先が嵌る穴が設けられることを特徴とする。
（８）請求項８に記載の発明は、請求項１〜７のいずれか１項に記載の装身具において、前記突起部を含む部分を前記装身具本体から取り外し又は可倒することができることを特徴とする。
（９）請求項９に記載の発明は、請求項１〜８のいずれか１項に記載の装身具において、該装身具が指輪であることを特徴とする。
（１０）請求項１０に記載の発明は、請求項１〜９のいずれかに記載の装身具を用いて、ヘアピンを開閉又は折り曲げて、ヘアセットすることを特徴とするヘアセット方法である。
【発明の効果】
【００１０】
本発明によれば、片手でヘアピンの折り曲げや開閉が簡単にできる装身具を提供することができる。
【図面の簡単な説明】
【００１１】
【図１】本発明の第１の実施例である装身具の使用態様を示す図である。
【図２】本発明の第１の実施例である装身具の使用方法を説明する説明図である。
【図３】本発明の第１の実施例である装身具によりＵ字型ピンの折り曲げを示す図である。
【図４】本発明の第２の実施例である装身具の斜視図である。
【図５】本発明の第２の実施例である装身具の台座の平面図である。
【図６】図５の変形例である。
【図７】本発明の第２の実施例である装身具によりＵ字型ピンの折り曲げを示す図である。
【図８】本発明の第３の実施例である装身具の斜視図である。
【図９】本発明の第３の実施例である装身具の平面図である。
【図１０】本発明の第４の実施例である装身具の斜視図である。
【図１１】本発明の第５の実施例である装身具の平面図である。
【発明を実施するための形態】
【００１２】
以下、本発明の実施例を図面に基づいて説明する。なお、発明の実施形態を説明するための全図において、同一機能を有するものは同一符号を付け、その繰り返しの説明は省略する。
【実施例１】
【００１３】
本発明の第１の実施例について、図１〜図３を用いて説明する。図１は、本発明の第１の実施例である装身具の使用態様を示す図である。図１に示す装身具は指輪であるが、指輪に限定されるものではなく、手首又は指に装着する装身具であれば如何なるものでもよい。例えば、非特許文献１に記載されているような手首に装着するリストでもよい。以降の実施例においても同様とする。
【００１４】
また、図１では指輪を左手の薬指にはめているが、どの指にはめて使用してもよい。図１では、右ききの人が本発明を使用した場合の使用態様を示す。右ききの場合には、左手に指輪を装着して、右手でピンを持ち、左手の指輪を利用してピンを開閉又は折り曲げることができる。一方、左ききの場合には、右手に指輪を装着して、左手でピンを持ち、右手の指輪を利用してピンを開閉又は折り曲げることができる。
【００１５】
図１の指輪２００は、指輪本体１００と突起部１０で構成される。指輪２００は、指のサイズに応じてリング径が固定しているタイプの指輪でもよいし、様々な指のサイズに対応できるようにリング径が若干自由になるようなタイプの指輪でもよい。後者の場合、例えば、指輪の下側（突起部１０に略対向する側）は切断されており、指のサイズに合わせて調整可能なタイプの指輪、ゴムのような素材でリング径が伸縮するようなタイプ、あるいはリストバンドで使用されるような布製でマジックテープを用いて固定されるタイプの指輪がある。指輪の材料としては、通常使用される材料と同様のものが使用され、例えばスチールやアルミなどが使用される。塩ビ樹脂などのプラスチックでもよい。
【００１６】
突起部１０は、ヘアピンを挿入させ、折り曲げ又は開閉させるために設けられたものである。ヘアピンを挿入させる挿入口は、図１に示すようにコの字型をしていてもよいし、アーチ型でもよいが、ヘアピンの挿入しやすさを考慮して７ｍｍ〜８ｍｍ程度の高さがあるとよい。また、図１では突起部１０の両端が指輪本体１００に固定されていることが好ましいが、固定されていなくてもよい。ただし、突起部１０の片側が固定されていないと、突起部１０の片側が作業中に周辺具や髪にひっかかり作業の邪魔になってしまうことが考えられる。
【００１７】
本実施例の突起部１０では、ヘアピンを挿入し、通す（以下、挿通）ことができる形状（アーチ型又はコの字型）を例として示しているが、ヘアピンを挿入できる挿入口があれば、必ずしも挿通出来なくてもよく、例えば指サックのような形状でもよい。
【００１８】
本実施例では図１に示すように、ヘアピンを挿通する方向と指先が略直角となるように指輪本体１００に突起部１０を設けているが、ヘアピンを挿通する方向と指先が略並行となるように指輪本体１００に突起部１０を設けてもよいし、いかなる方向に突起部１０を設けてもよい。
【００１９】
また、突起部１０の材料は、ヘアピンを曲げるにあたりヘアピンよりも剛性が高い材料で、リングと同じ材料（例えばステンレス）である。突起部１０の材料がヘアピンよりも剛性が低い材料の場合には、ヘアピンを挿通して曲げる際に、同様に曲がって、あるいは変形してしまい、ヘアピンを希望する形に曲げられないからである。突起部１０をヘアピンよりも剛性を高くして、曲がらないようにするために、ある程度の幅（例えば５ｍｍ程度）と厚み（例えば２ｍｍ）を持たせてもよい。突起部１０のアーチ又はコの字の高さは、例えば５〜６ｍｍとし、厚みが２ｍｍ以下であると、密着開閉型ピンが挟みこみやすくなる。
【００２０】
また、図１では、突起部１０が指輪本体１００に直接、取り付けられているが、指輪本体１００に台座を設けて突起部１０を取り付けてもよい。台座を設ける場合には、台座の面積は例えば１５ｍｍ四方程度とし、台座の高さは例えば３ｍｍ〜５ｍｍ程度とする。突起部１０の高さと台座の高さを合わせて１０ｍｍ程度であれば、一般に装着されている指輪の突起（宝石等）の高さと変わらず、施術の際に支障はないからである。また、指輪本体１００の幅は例えば１０ｍｍ程度であれば、全体のバランスがよい。
【００２１】
また、指輪２００のファッション性を高めるため、指輪本体１００や突起部１０にラインや柄などを刻みこむあるいはガラス玉のようなものを埋め込む等の装飾を施してもよい。以下の実施例でも同様である。
【００２２】
図２は、実施例１の指輪２００の使用方法を説明する説明図である。図２を用いて、Ｕ字型のヘアピン２０の両方の先端部を折り曲げる作業について説明する。図２では、簡単のため、指輪２００とＵ字型のヘアピン２０しか描いていないが、実際に使用する際には、図１に示すように指に指輪２００を装着して使用する。
【００２３】
まず、図２（Ａ）に示すようにＵ字型のヘアピン２０の先端部分２１を指輪２００の突起部１０に挿通する。そして、図２（Ｂ）に示すようにＵ字型のヘアピン２０の先端部分２１を突起部１０に引掛けて、Ｕ字型ヘアピン２０のＵ字型部分２２を先端部分２１の方向へ折り曲げる。このとき、髪を留める効果を考えると、Ｕ字型ヘアピン２０の折れ曲げる角度θは、９０度から１８０度、より好ましくは１５０度から１８０度であり、折り曲げる先端部分２１の長さＸは、１ｃｍから２ｃｍ程度とする。
【００２４】
図３（Ａ）は、図２で説明した方法でＵ字型ヘアピン２０を折り曲げる前の状態を示し、図３（Ｂ）は、図２で説明した方法でＵ字型ヘアピン２０を折り曲げた後の状態を示す。図３（Ｂ）に示すように、Ｕ字型ヘアピン２０の先端部分２１の角度θが１５０度から１８０度の間の角度で曲がっており、曲げられた先の長さＸは１ｃｍから２ｃｍ程度である。
【００２５】
本実施例では、Ｕ字型ヘアピン２０の先端部分２１を折り曲げる方法について説明したが、Ｕ字型ヘアピンに限定されるものではなく、如何なるヘアピンを使用してもよい。また、本実施例では、Ｕ字型ヘアピン２０の両先端部を折り曲げたが、片方の先端部だけを指輪２００の突起部１０に挿通させて、片方の先端部だけ折り曲げてもよい。また、密着開閉型ピンの先端部（開閉部分）に指輪２００の突起部１０を挿入し、ピンの先端部を開閉させるのに使用してもよい。
【実施例２】
【００２６】
次に本発明の第２の実施例について、図４〜図７を用いて説明する。図４は、本発明の第２の実施例である装身具の斜視図である。指輪２００は、突起部１０と突起部１０が配置される台座１１と、指輪本体１００で構成される。実施例１のように、突起部１０が直接、指輪本体１００に配置される構成としてもよい。以降の実施例においても同様とする。
【００２７】
本実施例では、突起部１０をコの字型又はアーチ型に形成するものではなく、コの字型又はアーチ型を直角に交わらせ、４本の腕（１０１〜１０４）を持つ十字型になるように形成する。このとき、正確に十字型にならなくてもよい。図５（Ａ）は、図４の突起部１０が配置された台座１１の平面図である。図４又は図５（Ａ）に示すように突起部１０は腕１０１、１０３と、腕１０２、１０４を直角に組み合わせて十字型の交差部分１０５を形成している。このように突起部１０を形成することにより、ヘアピンを突起部１０に挿通する方向が４通り形成される。つまり、指を指輪に挿入する方向（Ｂ矢印方向）とその逆方向、それに直角な方向（Ａ矢印方向）とその逆方向の４通りである。ヘアピンを挿入する方向が４通りになることで、ヘアピンを挿入する自由度が増し、使い易くなる。
【００２８】
また、Ｕ字型ヘアピンの両端部が十字型突起部１０の腕を挟むことにより、Ｕ字型ヘアピンを折り曲げる際に、Ｕ字型ヘアピンが引掛けた十字型の腕を横滑りしない効果がある。例えば、図５（Ａ）のＢ矢印方向からＵ字型ヘアピンを差し込むと、Ｕ字型ヘアピンの両端部が十字型突起部１０の腕１０４を挟むため、Ｕ字型ヘアピンが引掛けた十字型の腕１０１，１０３をＡ矢印方向（又は逆方向）に横滑りしない。
【００２９】
実施例１と同様に、十字型の突起部１０の材料としては、ヘアピンよりも剛性が高い材料で指輪と同じ材料とし、図４又は図５に示す突起部１０は、ある程度の幅（例えば５ｍｍ程度）と厚み（例えば２ｍｍ程度）を持たせる。また突起部１０の高さは５〜６ｍｍ程度とする。以降の実施例においても同様とする。
【００３０】
図４の台座１１も実施例１と同様に、十字型突起部１０の台座１１の面積は、例えば１５ｍｍ四方程度とし、台座の高さは３ｍｍ〜５ｍｍ程度とし、全体のバランスを考えて、指輪本体１００の幅は１０ｍｍ程度とする。以降の実施例においても同様とする。
【００３１】
図４又は図５（Ａ）に示すような十字型突起部１０を使って、Ｕ字型ピンの先端を折り曲げ、密着開閉型ピンの先端部を開閉する方法は、実施例１と同様である。このとき、図３（Ｂ）に示すように、Ｕ字型ヘアピンの両先端部は同様に折り曲げることができるが、Ｕ字型ヘアピンの両端を同じ長さで曲げるのではなく、一端が他端よりも若干長めに折り曲げる場合がある。先端の長さが異なるようにして折り曲げたＵ字型ピン（図７参照）は、先端の長さが同じになるようにして曲げたＵ字型ピン（図３（Ｂ））よりも、髪によく引っ掛かり、髪を留める効果が高い。
【００３２】
先端部の長さが異なるようにしてＵ字型ピンを折り曲げるためには、例えばＢ矢印方向からＵ字型ピンを挿入して十字型突起部１０の交差部分の腕１０１にＵ字型ピンの一端を引掛けて、他端を腕１０３に引掛けて折り曲げる場合を考えると、図５（Ｂ）に示すように台座１１上の十字型突起部１０の交差部分１０５の腕１０１と腕１０３の位置を、交差部分１０５からＢ方向に変更すればよい。このとき、ピンを挿入する方向（Ｂ方向）と直角に交わる方向（Ａ方向）にある十字型突起部１０の２本の腕の位置を変えればよいので、腕１０１と腕１０３の両方の位置を変えてもよいし、片方の腕（図５（Ｂ）の場合は腕１０１）の位置だけを変えてもよい。腕１０１と腕１０３の位置の差（Ｓ）は３ｍｍ程度とする。
【００３３】
腕の位置を変える方法としては、図５（Ｃ）に示すように、２本の腕（腕１０１と腕１０３）の腕の幅を変えてもよい。腕の幅を変えることで、Ｕ字型ピンの一端を引掛ける腕の位置と、他端を引掛ける腕の位置が異なり、図５（Ｂ）の場合と同様に、先端の長さが異なるようにＵ字型ピンを折り曲げることができる。このとき２本の腕の幅が異なっていればよく、腕１０１と腕１０３の両方の腕の幅を変えてもよいし、片方の腕（図５（Ｃ）の場合は腕１０１）の幅だけを変えてもよい。
【００３４】
図５（Ｂ）と（Ｃ）では、Ｂ矢印方向からＵ字型ピンを挿入する場合の十字型突起部１０の２本の腕（１０１，１０３）の位置の変更を説明したが、Ａ矢印方向からＵ字型ピンを挿入する場合は、Ａ方向と直交する腕１０２と腕１０４の位置又は幅を変えればよい。
【００３５】
図６（Ａ）と（Ｂ）は、図５（Ｂ）又は（Ｃ）の変形例である。図５（Ｂ）と（Ｃ）では十字型の突起部１０を説明したが、十字型に限らず、Ｕ字型ピンの先端部を引掛ける腕の位置が異なるような構造を持てば、いかなる形状の突起部１０でも先端の長さが異なるようにＵ字型ピンを折り曲げることができる。例えば図６（Ａ）のように３本の腕からなる突起部１０や図６（Ｂ）のように２本の腕からなる突起部１０であってもよい。
【００３６】
図７は、図５（Ｂ）又は図５（Ｃ）を用いて、Ｂ矢印方向からＵ字型ピンを挿入してＵ字型ヘアピン２０を折り曲げる前の状態（図７（Ａ））と折り曲げた後の状態（図７（Ｂ））を示す。Ｕ字型ヘアピン２０のＵ字型部分２２を持ち、先端部分２１の片方を図５（Ｂ）の十字型突起部１０の腕１０１に引掛けて、先端部分２１のもう片方を１０３に引掛けて折り曲げると、図７（Ｂ）に示すように一端部２１１が他端部よりも若干長め（Ｓ）に折り曲げることができる。
【００３７】
このとき、長く折れ曲がったＵ字型ヘアピン２０の一端部２１１は、図５（Ｂ）の腕１０１に引掛けて折り曲げられ、他端部は図５（Ｂ）の腕１０３に引掛けて折り曲げられている。Ｕ字型ヘアピン２０の長さの差Ｓは、図５（Ｂ）の十字型突起部１０の２本の腕（１０１、１０３）の位置の差（Ｓ）と同様であり、例えば３ｍｍ程度である。
【実施例３】
【００３８】
次に本発明の第３の実施例について、図８と図９を用いて説明する。図８は、本発明の第３の実施例である装身具の斜視図である。指輪本体１００に十字型突起部１０が台座１１に配置されている構成は、実施例２と同様である。本実施例では、更にヘアピンのピン先を固定するためのストッパー１２が台座１１に配置されている。
【００３９】
ストッパー１２は、図８（Ａ）のように、突起部１０と同じ高さの壁状とする。また、ピン先を固定するため、ストッパー１２はヘアピンを突起部１０に挿通させる先に配置させる。例えば図８（Ａ）は、Ｂ矢印方向からヘアピンを挿通させる場合を示しており、挿通させる先にストッパー１２を配置している。
【００４０】
また、ストッパー１２の材料は、突起部１０や指輪本体１００と同じ材料でもよいが、ピン先を固定し曲げるために滑り止め効果がある材料を用いてもよい。また、ストッパー１２に複数の窪みを設けてピン先が固定するようにしてもよい。
【００４１】
このようにストッパー１２を台座１１に配置することにより、ヘアピンを突起部１０に挿通させて折り曲げる際に、ヘアピンの先端部を固定させることができ、安定してヘアピンを折り曲げることができる。
【００４２】
しかし、ストッパー１２を配置しても、ヘアピンを十字型突起部１０に挿通する際、差し込む向きによっては、ストッパー１２でピン先が固定されず、上下方向、あるいは左右方向に滑る場合がある。下方向にピン先が滑る場合には、台座１１にピン先が当たることでピン先が止まり、また左右方向にピン先が滑る場合にも、Ｕ字型ピンの両先端部２１が十字型突起部１０の腕１０４を挟むため、腕１０４にＵ字型ピンが当たることにより、ピン先が止まる。しかしながら、上方向にピン先が滑る場合には、腕１０１と腕１０３にＵ字型ピンが当たることにより、ある程度は固定されるが、上方向に滑ってしまうことがある。Ｕ字型ピンがストッパー１２の上方向に滑るのを防ぐため、図８（Ｂ）に示すようにストッパー１２の上部に庇１２２を付ける。
【００４３】
庇１２２は長すぎると、ヘアピンを曲げる際に邪魔になるため、例えば３ｍｍ程度とする。このとき庇１２２はストッパー１２と直角（台座１１と並行）に、突起部１０と同じ高さになるように付けると、突起部全体（５〜６ｍｍ程度）の高さが変わらず、施術の際に邪魔にならない。また、図８（Ｂ）の庇１２２の両端は直角であるが、両端にカーブをつけたような形状としてもよい。そのような形状にすることで、庇１２２の両端が髪に引っ掛かることを防ぐことができる。
【００４４】
更に図８（Ａ）、（Ｂ）に示すように、突起部１０の台座１１上に複数個又は１個のマグネット１３を埋め込むようにしてもよい。マグネット１３を埋め込むことにより、施術中、ピンを手元に置きたいときに一時的に固定できる。図９は、図８（Ｂ）の平面図である。図９に示すように、十字型の突起部１０の台座１１に例えば４カ所程度マグネット１３を埋め込むと、マグネット１３の磁力により、ピン先を上下方向又は左右方向に滑るのを防ぐ効果があり、ピンを折り曲げ易くなる。
【００４５】
上述のように、台座１１にストッパー１２を付けた上で、マグネット１３を埋め込むことで、ヘアピンのピン先を曲げる際にピン先が滑らないように固定する効果が高いが、ストッパー１２だけ或いはマグネット１３だけを台座１１に備えてもよい。
更に、突起部１０の台座１１だけでなく、指輪本体１００にもマグネットを埋め込んでもよい。それにより、ピンを一時的に手元に置きたいときに指輪本体１００にも固定できる。
【実施例４】
【００４６】
本発明の第４の実施例を、図１０を用いて説明する。図１０（Ａ）は、実施例３で説明した図８（Ａ）の台座１１以上の部分５０（以下、上部５０）を示す。上部５０の形状は、これに限定されず、例えば図８（Ｂ）で示したようなストッパー１２と庇１２２を含む形状でもよいし、実施例１から３で説明した如何なる上部５０でもよい。図１０（Ｂ）は、上部５０を取り除いた指輪本体１００を示す。本実施例では、指輪２００の上部５０は、指輪本体１００から取り外すことができる。
【００４７】
指輪本体１００には、上部５０を取り付ける台座１１０が備えられている。図１０（Ｂ）に示すように台座１１０には、例えば、上部５０を取り付けるための突起１４が形成されており、上部５０の台座１１の裏には突起１４が嵌る穴が形成されている（図示せず）。逆に、指輪本体１００の台座１１０に突起１４が嵌る穴が形成され、上部５０の台座１１の裏に突起１４が形成されていてもよい。突起１４の形状や大きさ、個数は図１０（Ｂ）に示すようなものに限定されず、如何なるものでもよい。例えば、台座１１０の周りを囲むように壁状に突起１４をつけてもよいし、その場合には上部５０の台座１１の裏には突起１４が嵌る溝状の穴が形成される。
【００４８】
また、台座１１０の突起１４の外周に小さな突起（もしくは穴）を複数付け、上部５０の台座１１の裏に突起１４が嵌る穴の外周にも上記の小さな突起がカチッと嵌る小さな穴（もしくは）を複数設けて、指輪本体１００に上部５０を取り付けてもよい。他の如何なる方法（例えば磁石、マジックテープ（登録商標）など）で指輪本体１００に上部５０を取り付けてもよい。
【００４９】
上部５０を指輪本体１００から取り外すことにより、各個人が使いやすい方向に上部５０を指輪本体１００に取り付けることができる。例えば、指の付け根方向（Ｂ矢印方向とする）にピンを差し込んで曲げたい場合には、指の付け根側（１１１側）にストッパー１２が配置されるように上部５０を指輪本体１００に取り付ければよい。逆に指先方向（Ｂ矢印逆方向とする）にピンを差し込んで曲げたい場合には、指先側（１１３側）にストッパー１２が配置されるように上部５０を指輪本体１００に取り付ければよい。また、指の側面方向（Ａ矢印方向又はＡ矢印逆方向）にピンを差し込んで曲げたい場合には、指の側面側（１１２側又は１１４側）にストッパー１２が配置されるように上部５０を指輪本体１００に取り付ければよい。この様に個人の好みに応じて上部５０を指輪本体１００に取り付けることができる。また、施術中に上部５０が髪にひっかかり邪魔なときにも取り外すことができる。
【００５０】
また、突起部１０を含む上部５０を取り外すのではなく、可倒式にしてもよい。その場合、上部５０を取り外さないため上部５０を無くすことがないという利点がある。例えば、図１に示す指輪２００の場合、突起部１０をピンの挿入方向に可倒とすることで、突起部１０を無くすことなく、通常の指輪の様に使用できる。
【実施例５】
【００５１】
実施例１〜４では、突起部１０のＡ方向又はＢ方向（例えば図４参照）から突起部１０にピン先を差し込んで折り曲げたい場合について述べてきた。しかし、例えばＵ字型ピンの片方だけ折り曲げたい場合に、指の付け根方向（Ｂ矢印方向）又は指先側（Ｂ矢印逆方向）にＵ字型ピンの片方を突起部１０に挿入して、もう片方を突起部１０に挿入しないで折り曲げると、折り曲げないＵ字型ピンのピン先で指を傷つけてしまう場合がある。
【００５２】
また、指の側面方向（Ａ矢印方向又はＡ矢印逆方向）からＵ字型ピンの片方を突起部１０に挿入して、もう片方を突起部１０に挿入しないで折り曲げた場合も同様に、折り曲げないＵ字型ピンのピン先で指を傷つけてしまう場合がある。
【００５３】
そのような場合を避けるために、Ａ方向とＢ方向に垂直な上方向からＵ字型ピンの片方を突起部１０に挿入して台座１１にピン先を固定し、もう片方を突起部１０に挿入しないで折り曲げればよいが、このときに台座１１にピン先が固定されず、滑ってしまうことがある。
【００５４】
そこで、本実施例では突起部１０にピン先が嵌る複数個の穴１５を設ける。図１１は、本実施例の指輪２００の突起部１０を配置した台座１１の平面図である。図１１に示す突起部１０は、図５（Ａ）（又は図４）で示した突起部１０に、複数個の穴１５を設けたものである。突起部１０の形状は、これに限定されず、図５（Ｂ）、（Ｃ）或いは図８（Ａ）、（Ｂ）に示されるような突起部１０の形状でも他の如何なる形状でもよい。
【００５５】
突起部１０に穴１５が設けられることにより、Ｕ字型ピンの片方のピン先を突起部１０の穴に嵌めて固定することができる。このようにして、Ｕ字型ピンの片方のピン先を突起部１０の穴に嵌めて固定し、もう片方のピン先を突起部１０に挿入しないで、Ｕ字型ピンの片方のピン先だけを容易に折り曲げることができる。
【００５６】
図１１では、突起部１０に複数個の穴１５が設けられた場合を説明したが、台座１１に複数個の窪みを設けてＵ字型ピンのピン先を固定してもよい。あるいは突起部１０と台座１１の両方に穴１５と窪みを設けてもよい。穴１５の数は複数個に限らず、１個でもよいが複数個の方が使い易い。また、穴１５の大きさはピン先が嵌る大きさであれば、大きくてもよいがピン先が固定される大きさがより好ましい。
【００５７】
以上の実施例の装身具を用いることにより、ヘアセットの際、片手で髪を抑えながら、もう片方の手でＵ字型ヘアピンの先端部の両端又は片方を容易に折り曲げることができる。また、上記の装身具を用いることにより、密着開閉型ピンの開閉を容易にできる。さらに、マグネットを備えた装身具を手に装着することにより、施術中、Ｕ字型ヘアピンや密着開閉型ピンを手元に置きながら作業することができる。
【００５８】
なお、本発明は、上述した実施形態に限定されず、本発明の要旨を逸脱しない範囲で種々に変更することができることは勿論である。
【符号の説明】
【００５９】
１０…突起部、１１、１１０…台座、１２…ストッパー、１３…マグネット、１４…突起部、１５…穴、２０…Ｕ字型ヘアピン、２１…Ｕ字型ヘアピンの先端部分、２２…Ｕ字型ヘアピンのＵ字型部分、５０…上部、１００…指輪本体、１０１〜１０４…十字型突起部の腕、１０５…十字型の交差部分、１１１…指の付け根側、１１２，１１４…指の側面側、１１３…指先側、２００…指輪。
【要約】
【課題】片手でヘアピンの折り曲げや開閉が簡単にできる装身具及びその装身具を用いたヘアセット方法を提供する。
【解決手段】本発明の装身具は、手又は指に装着する装身具本体と、装身具本体に取り付けられ、へアピンを挿入する挿入口を有する突起部を備える。この突起部は、コの字型又はアーチ型あるいは十字型に形成され、その両端又は４本の腕が装身具本体に固定される。
【選択図】図１【図１】
0005481741.tif 000002
【図２】
0005481741.tif 000003
【図３】
0005481741.tif 000004
【図４】
0005481741.tif 000005
【図５】
0005481741.tif 000006
【図６】
0005481741.tif 000007
【図７】
0005481741.tif 000008
【図８】
0005481741.tif 000009
【図９】
0005481741.tif 000010
【図１０】
0005481741.tif 000011
【図１１】
0005481741.tif 000012